【事件の表示】
　特許第２８９３７１８号「カメラ一体型記録装置」の特許に対する特許異議の申立てについて、次のとおり決定する。
【結　論】
　訂正を認める。
　特許第２８９３７１８号の特許を維持する。
【理　由】
I【手続きの経緯】
　特許第２８９３７１８号に係る発明は、平成１年５月３０日に特許出願され、平成１１年３月５日にその特許の設定登録がなされ、その後、特許異議申立人鈴木徹より特許異議の申立てがなされ、取消理由通知がなされ、その指定期間内である平成１２年５月３０日に訂正請求がなされたものである。
II【訂正の適否についての判断】
ア．訂正の内容
　特許権者が求めている訂正の内容は、以下のａ〜ｅのとおりである。
ａ．特許請求の範囲の請求項１の記載を次のとおりに訂正する。
「【請求項１】画像表示部を有するビューファインダー本体と視度調整手段を有する接眼鏡筒部とから成るビューファインダー装置とバッテリーを装置本体の背面に備えたカメラ一体型記録装置において、
　上記接眼鏡筒部は、その内部に視度を調整する為のレンズと、該接眼鏡筒部に対し該接眼鏡筒部の進退方向に前記レンズを動かす視度調節手段とを有し、上記接眼鏡筒部は、上記ビューファインダー本体に対して進退動自在に配置されているとともに、上記接眼鏡筒部は、退動時に装置本体の背面に装着されたバッテリーに対して略面一になるように上記ビューファインダー本体を介して上記装置本体に取り付けられていることを特徴とするカメラ一体型記録装置。」
ｂ．【発明の詳細な説明】の［発明の概要］欄を「この発明は、画像表示部を有するビューファインダー本体と視度調整手段を有する接眼鏡筒部とから成るビューファインダー装置とバッテリーを装置本体の背面に備えたカメラ一体型記録装置において、
　上記接眼鏡筒部は、その内部に視度を調整する為のレンズと、該接眼鏡筒部に対し該接眼鏡筒部の進退方向に前記レンズを動かす視度調節手段とを有し、
　上記接眼鏡筒部は、上記ビューファインダー本体に対して進退動自在に配置されているとともに、上記接眼鏡筒部は、退動時に装置本体の背面に装着されたバッテリーに対して略面一になるように上記ビューファインダー本体を介して上記装置本体に取り付けることにより、
　上記ビューファインダー装置の装置本体からの出っ張りを小さくし．カメラ一体型記録装置全体の小型化を図ることができるようにしたものである。」と訂正する。
ｃ．【発明の詳細な説明】の［課題を解決するための手段］欄を「画像表示部を有するビューファインダー本体と視度調整手段を有する接眼鏡筒部とから成るビューファインダー装置とバッテリーを装置本体の背面に備えたカメラー体型記録装置において、
　上記接眼鏡筒部は、その内部に視度を調整する為のレンズと、該接眼鏡筒部に対し該接眼鏡筒部の進退方向に前記レンズを動かす視度調節手段とを有し、
　上記接眼鏡筒部は、上記ビューファインダー本体に対して進退動自在に配置されているとともに、上記接眼鏡筒部は、退動時に装置本体の背面に装着されたバッテリーに対して略面一になるように上記ビューファインダー本体を介して上記装置本体に取り付けた。」と訂正する。
ｄ．【発明の詳細な説明】の［作用］欄を「上記ビューファインダー本体に対して上記接眼鏡筒部を進退動自在に配置し、該接眼鏡筒部内に、視度を調節する為のレンズと、該接眼鏡筒部に対し接眼鏡筒部の進退方向にレンズを動かす独立の視度調節手段とを設けたので、該視度調節手段により、それ以前に調整された視度を容易に再現することができる。」と訂正する。
ｅ．【発明の詳細な説明】の［効果］欄を「本発明は、上述のような構成にしたので、接眼鏡筒部を進退動自在にすることが出来る為、退動時の短くなった寸法分だけ記録装置も小さく出来る。よって退動時に装置本体の背面に装着されたバッテリーに対して接眼鏡筒部が略面一になるような位置にビューファインダー本体を取りつけている。記録装置を持ち歩く時は、ほとんどバッテリーを装着しているため、この寸法程度にセッティングするのが合理的であるという実用上、優れた効果がある。」と訂正する。
イ、訂正の目的の適否、新規事項の有無及び拡張・変更の存否
　上記訂正事項ａは、願書に添付した明細書の特許請求の範囲の請求項１において、限定事項（「バッテリーを装置本体背面」に備え、「上記接眼鏡筒部は、その内部に視度を調整する為のレンズと、該接眼鏡筒部に対し該接眼鏡筒部の進退方向に前記レンズを動かす視度調節手段」とを有し、「バッテリーに対して」略面一）を付加するものであるから、特許請求の範囲の減縮に該当する。また、上記訂正事項ｂ〜ｅは、上記特許請求の範囲の訂正に伴い、これと整合を図るためのものであり、明りょうでない記載の釈明に該当する。そして、上記訂正事項ａ〜ｅは、願書に添付した明細書の【発明の詳細な説明】欄の［実施例］（特許公報第７欄第１５行〜第３５行の接眼鏡筒部の視度調整リングの具体構造の記載、第８欄第９行〜第１１行の「ＶＴＲ本体２の背面にバッテリー７５を取付けてある」との記載、第２３行〜第２８行の「不使用時等には、第２図に示すようにアイキャップ６７をＶＴＲ本体２のバッテリー７５側の近くまで縮める」との記載）及び図面に記載されている事項の範囲内のものであるから、上記いずれの訂正事項も、新規事項の追加に該当せず、また実質上特許請求の範囲を拡張し、又は変更するものでもない。
ウ．独立特許要件の判断
《引用刊行物》
　訂正明細書の請求項１に係る発明（以下「本件発明」という。）に対して、当審が通知した取消理由で引用した刊行物１（実願昭５７−１９６７３２号（実開昭５９−１０１５５８号）のマイクロフィルム）には、「ファインダ装置」（考案の名称）に関し、図面と共に次のとおりの記載がある。
１．「この構成においては、操作つまみ６の位置を調整する事によりＣＲＴ２のディスプレイ面２ａに対する接眼レンズ３の間隔を調整して視度調整することも可能である。
　他方、ＣＲＴ２のディスプレイ画面を、眼を離してモニターする時或いはカメラの不使用状態では第２図（Ｂ）に示す様に、スライド筒６を左方にスライドして収納状態にすると、接眼レンズ３はＣＲＴ２のディスプレイ面２ａにほぼ接する位置となる。」（明細書第５頁第４行〜第１３行）
２．「カメラを使用しない時は、第２図（Ｂ）の収納状態にする事によりカメラの接眼部をコンパクトに収納出来、携帯に便利である」（明細書第５頁第１７行〜第２０行）
　同じく引用した刊行物２（実願昭６２−４０４０５号（実開昭６３−１４７０７３号）のマイクロフィルム、異議申立人が提出した甲第２号証）には、「ビデオカメラ」（考案の名称）に関し、図面と共に次のとおりの記載がある。 
「最近、カメラ部とＶＴＲ（ビデオテープレコーダ）本体部とを一体化することにより小型化を図ったビデオテープレコーダ一体化のビデオカメラ（以下、単にビデオカメラと称する）が出現し、普及しつつある。」（明細書第１頁第２０行〜第２頁第４行）
《対比・判断》
　本件発明と各刊行物に記載の発明を対比すると、次のことが認められる。
（１）刊行物１には、ファインダ装置において、スライド筒の操作つまみの位置を調整することにより、ＣＲＴのディスプレイ面に対する接眼レンズの間隔を調整して視度調整を行い、カメラを使用しない時は、スライド筒を収納状態にすることが記載されており（刊行物１の上記１．２．の記載参照）、その点では、本件発明と類似しているといえる。
　しかしながら、刊行物１には、本件発明の「バッテリーを装置本体の背面」に備え、「上記眼鏡筒部は、その内部に視度を調整する為のレンズと、該接眼鏡筒部に対し該接眼鏡筒部の進退方向に前記レンズを動かす視度調節手段」を有し、「上記接眼鏡筒部は、退動時に装置本体の背面に装着されたバッテリーに対して略面一になるように上記ビューファインダー本体を介して上記装置本体に取り付けられている」点について何ら記載がなく、示唆もない。
（２）また、刊行物２には、カメラ一体型記録装置は示されているが（刊行物２の上記の記載参照）、そこにも本件発明の上記（１）で摘示した点の構成について何も記載がなく、示唆もない。
（３）以上のように、上記各刊行物のいずれにも本件発明の上記（１）で摘示した点の構成について記載がなく、示唆もないのであるから、それらを組み合わせても本件発明が容易になし得るとはいえない。
　そして、本件発明は、上記（１）で摘示した構成を採用することによって、訂正明細書記載の「上記ビューファインダー本体に対して上記接眼鏡筒部を進退動自在に配置し、該接眼鏡筒部内に、視度を調節する為のレンズと、該接眼鏡筒部に対し接眼鏡筒部の進退方向にレンズを動かす独立の視度調節手段とを設けたので、該視度調節手段により、それ以前に調整された視度を容易に再現することができる。」（訂正明細書の［作用］欄の記載）、「接眼鏡筒部を進退動自在にすることが出来る為、退動時の短くなった寸法分だけ記録装置も小さく出来る。よって退動時に装置本体の背面に装着されたバッテリーに対して接眼鏡筒部が略面一になるような位置にビューファインダー本体を取りつけている。記録装置を持ち歩く　時は、ほとんどバッテリーを装着しているため、この寸法程度にセッティングするのが合理的であるという実用上、優れた効果がある。」（訂正明細書の［発明の効果］欄の記載）等の顕著な作用・効果を奏するものといえる。
　よって、本件発明の特許は、特許法第２９条第２項の規定に違反してされたものではない。
　したがって、本件発明は、特許出願の際独立して特許を受けることができるものである。
エ．むすび
　以上のとおりであるから、上記訂正は、特許法第１２０条の４第２項及び同条第３項において準用する第１２６条第２−４項の規定に適合するので、当該訂正を認める。
III【特許異議の申立てについての判断】
ア．申立ての理由の概要
（特許法第２９条第２項違反について）
　申立人は、特許明細書の請求項１に係る発明は、甲第１号証（実願昭５７−１９６７３２号（実開昭５９−１０１５５８号）のマイクロフィルム、上記刊行物１）、甲第２号証（実願昭６２−４０４０５号（実開昭６３−１４７０７３号）のマイクロフィルム、上記刊行物２）をもとに容易に発明をすることができたものであり、特許法第２９条第２項の規定により、特許を受けることができないものであるから、特許を取り消すべき旨主張している。
（特許法第３６条第４項及び第５項違反について）
　申立人は、特許明細書の特許請求の範囲には、「装置本体の背面に対して略面一になる」と記載されているが、その記載は、発明の詳細な説明な説明及び図面のどこにも全く見当たらず、しかも出願当初の明細書の記載から自明でもなく、さらに、その「略面一」の範囲も不明であり、また、特許明細書には、目的として「小型で操作釦を容易に操作することができるカメラ一体型ＶＴＲを提供する」と記載されているが、それを解決するための手段が特許請求の範囲には記載されておらず、目的と構成とが合致していないので、特許明細書及び図面の記載は不備であり、特許法第３６条第４項及び第５項の規定により、特許を受けることができないものであるから、特許を取り消すべき旨主張している。
イ．判断
（特許法第２９条第２項違反について）
　本件発明は、上記II．ウで示したように、取消理由通知で示した刊行物１（上記甲第１号証）、刊行物２（上記甲第２号証）に記載された発明から容易に発明をすることができたものとすることはできない。
（特許法第３６条第４項及び第５項違反について）
　特許請求の範囲に記載の「略面一」とある表現は、厳密にぴったり揃うことのみならず、おおむね同一面に揃って配置される構成を意味することは明らかであり、その範囲も当業者が実施するにあたって装置の形状、寸法を考慮して適宜に決め得るものといえ、そして、特許請求の範囲の上記記載は、特許明細書の［実施例］欄の「不使用時等には、第２図に示すようにアイキャップ６７をＶＴＲ本体２のバッテリー７５側の近くまで縮める」（特許公報第８欄第２５行、第２６行）とある記載に基づいて、「装置本体の背面に装着されたバッテリーに対して略面一になる」と訂正され、明確になっているから、特許請求の範囲の記載は、特許を受けようとする発明が発明の詳細な説明に記載したものでなく、発明の構成に欠くことができない事項のみを記載したものではないという主張は採用できない。また特許請求の範囲に記載される構成によって、ＶＴＲ全体の小型化を図れることは明らかであり、それに伴い操作釦の操作が容易になることも理解でき、目的と構成が合致していないとはいえない。
ウ．むすび
　以上のとおりであるから、特許異議申立ての理由及び証拠によっては、本件発明の特許を取り消すことはできない。
　また、他に本件発明についての特許を取り消すべき理由を発見しない。
　よって、結論のとおり決定する。
【異議決定日】
平成１２年１１月８日（２０００．１１．８）
【訂正の要旨】
訂正の要旨
ａ．特許請求の範囲の請求項１の記載を次のとおりに訂正する。
「【請求項１】画像表示部を有するビューファインダー本体と視度調整手段を有する接眼鏡筒部とから成るビューファインダー装置とバッテリーを装置本体の背面に備えたカメラ一体型記録装置において、
　上記接眼鏡筒部は、その内部に視度を調整する為のレンズと、該接眼鏡筒部に対し該接眼鏡筒部の進退方向に前記レンズを動かす視度調節手段とを有し、上記接眼鏡筒部は、上記ビューファインダー本体に対して進退動自在に配置されているとともに、上記接眼鏡筒部は、退動時に装置本体の背面に装着されたバッテリーに対して略面一になるように上記ビューファインダー本体を介して上記装置本体に取り付けられていることを特徴とするカメラ一体型記録装置。」
ｂ．【発明の詳細な説明】の［発明の概要］欄を「この発明は、画像表示部を有するビューファインダー本体と視度調整手段を有する接眼鏡筒部とから成るビューファインダー装置とバッテリーを装置本体の背面に備えたカメラ一体型記録装置において、
　上記接眼鏡筒部は、その内部に視度を調整する為のレンズと、該接眼鏡筒部に対し該接眼鏡筒部の進退方向に前記レンズを動かす視度調節手段とを有し、
　上記接眼鏡筒部は、上記ビューファインダー本体に対して進退動自在に配置されているとともに、上記接眼鏡筒部は、退動時に装置本体の背面に装着されたバッテリーに対して略面一になるように上記ビューファインダー本体を介して上記装置本体に取り付けることにより、
　上記ビューファインダー装置の装置本体からの出っ張りを小さくし．カメラ一体型記録装置全体の小型化を図ることができるようにしたものである。」と訂正する。
ｃ．【発明の詳細な説明】の［課題を解決するための手段］欄を「画像表示部を有するビューファインダー本体と視度調整手段を有する接眼鏡筒部とから成るビューファインダー装置とバッテリーを装置本体の背面に備えたカメラ一体型記録装置において、
　上記接眼鏡筒部は、その内部に視度を調整する為のレンズと、該接眼鏡筒部に対し該接眼鏡筒部の進退方向に前記レンズを動かす視度調節手段とを有し、
　上記接眼鏡筒部は、上記ビューファインダー本体に対して進退動自在に配置されているとともに、上記接眼鏡筒部は、退動時に装置本体の背面に装着されたバッテリーに対して略面一になるように上記ビューファインダー本体を介して上記装置本体に取り付けた。」と訂正する。
ｄ．【発明の詳細な説明】の［作用］欄を「上記ビューファインダー本体に対して上記接眼鏡筒部を進退動自在に配置し、該接眼鏡筒部内に、視度を調節する為のレンズと、該接眼鏡筒部に対し接眼鏡筒部の進退方向にレンズを動かす独立の視度調節手段とを設けたので、該視度調節手段により、それ以前に調整された視度を容易に再現することができる。」と訂正する。
ｅ．【発明の詳細な説明】の［効果］欄を「本発明は、上述のような構成にしたので、接眼鏡筒部を進退動自在にすることが出来る為、退動時の短くなった寸法分だけ記録装置も小さく出来る。よって退動時に装置本体の背面に装着されたバッテリーに対して接眼鏡筒部が略面一になるような位置にビューファインダー本体を取りつけている。記録装置を持ち歩く時は、ほとんどバッテリーを装着しているため、この寸法程度にセッティングするのが合理的であるという実用上、優れた効果がある。」と訂正する。
（５４）【発明の名称】
カメラ一体型記録装置
（５７）【特許請求の範囲】
　【請求項１】　画像表示部を有するビューファインダー本体と視度調整手段を有する接眼鏡筒部とから成るビューファインダー装置
とバッテリーを装置本体の背面に
　
上記接眼鏡筒部は、その内部に視度を調整する為のレンズと、該接眼鏡筒部に対し該接眼鏡筒部の進退方向に前記レンズを動かす視度調節手段とを有し、
　
上記接眼鏡筒部は、
バッテリーに対して
【発明の詳細な説明】
［産業上の利用分野］
　この発明は、ビューファインダー装置を備えたカメラ一体型記録装置に関する。
［発明の概要］
　この発明は、画像表示部を有するビューファインダー本体と視度調整手段を有する接眼鏡筒部とから成るビューファインダー装置
とバッテリーを装置本体の背面に
　
上記接眼鏡筒部は、その内部に視度を調整する為のレンズと、該接眼鏡筒部に対し該接眼鏡筒部の進退方向に前記レンズを動かす視度調節手段とを有し、
　
上記接眼鏡筒部は、
バッテリーに対して
　上記ビューファインダー装置の装置本体からの出っ張りを小さくし、カメラ一体型記録装置全体の小型化を図ることができるようにしたものである。
［従来の技術］
　例えば、８ミリのカメラ一体型ＶＴＲが知られている。これを、第１５，１６図によって具体的に説明すると、１００はカメラ一体型ＶＴＲであり、そのＶＴＲ本体１０１の右側が該ＶＴＲ本体１０１を保持するグリップ部１０２になっていると共に、その反対側が図示しない周知のカセットホルダー，テープローディング機構，回転ヘッドドラム等から成るＶＴＲデッキ部１０３になっている。また、このＶＴＲ本体１０１の前部１０１ａの前面にはカメラ・レンズ部１０４及びマイクロフォン１０５を配設してあると共に、ＶＴＲ本体１０１のグリップ部１０２側の上部から後方にかけてビューファインダー１０６を配設してある。
　上記ビューファインダー１０６は、上下一対のケースから成るビューファインダー本体１０７と、このビューファインダー本体１０７内に収納されている図示しないＣＲＴ（陰極線管）と、視度調整手段１０８，アイキャップ１０９等を有した接眼鏡筒体１１０等で大略構成されている。
　さらに、第１６図に示すように、上記ＶＴＲ本体１０１のグリップ部１０２の背面１０２ａの親指が当たる位置には、スタート／ストップのプッシュタイプの録画釦１１１を配設してある。この録画釦１１１は、上記グリップ部１０２の背面１０２ａに形成された縦長の凹部１０２ｂの上下方向にスライドするスライド釦（操作釦）１１２のスライドにより見え隠れするようになっており、このスライド釦１１２で上記録画釦１１１を覆うことにより不要な録画撮りを防止できるようになっている。尚、第１６図中符号１１３は上記グリップ部１０２の側面に設けられたグリップベルトである。
［発明が解決しようとする課題］
　しかしながら、従来の上記カメラ一体型ＶＴＲ１００では、ＶＴＲ本体１０１からビューファインダー本体１０７に固定された接眼鏡筒部１１０が出っ張っているので、その分上記カメラ一体型ＶＴＲ１００の全体が長くなって大型になる欠点があった。そこで、この発明は、小型で操作釦を容易に操作することができるカメラ一体型ＶＴＲを提供するものである。
［課題を解決するための手段］
　画像表示部を有するビューファインダー本体と視度調整手段を有する接眼鏡筒部とから成るビューファインダー装置
とバッテリーを装置本体の背面に
　
上記接眼鏡筒部は、その内部に視度を調整する為のレンズと、該接眼鏡筒部に対し該接眼鏡筒部の進退方向に前記レンズを動かす視度調節手段とを有し、
　
上記接眼鏡筒部は、
バッテリーに対して
［作用］
　
上記ビューファインダー本体に対して上記接眼鏡筒部を進退動自在に配置し、該接眼鏡筒部内に、視度を調節する為のレンズと、該接眼鏡筒部に対し接眼鏡筒部の進退方向にレンズを動かす独立の視度調節手段とを設けたので、該視度調節手段により、それ以前に調整された視度を容易に再現することができる。
［実施例］
　以下、この発明の一実施例を図面と共に詳述する。
第１〜６図において、１はカメラ一体型記録装置としての８ミリカメラ一体型ＶＴＲであり、その装置本体としてのＶＴＲ本体２は略直方体に形成してある。このＶＴＲ本体２の右側面側が該ＶＴＲ本体２を保持するグリップ部３になっていると共に、このグリップ部３の反対側の左側面４の略中央部４ａが半円筒状に横になって突出成形形成してある。そして、上記グリップ部３の下部から上部にＶＴＲデッキ部５を配設してある。また、上記左側面４の略中央部４ａ内にカメラ・レンズ部６を内蔵し、このカメラ・レンズ部６のズームレンズ７を有したレンズ鏡筒部８の前部を前方に突出してあると共に、この左側面４上部の前側から後方にかけて録画中の画像を確認するビューファインダー９を配設してある。
　上記グリップ部３の上部、即ち上記ＶＴＲデッキ部５の上部には、テープカセット１０を出し入れする開口部１１を設けてある。この開口部１１は、断面略Ｌ字型の蓋体１２により開閉自在になっている。詳述すると、上記蓋体１２は、ＶＴＲ本体２の上面２ａより内側の所定位置に所定距離隔てて配置された棒状の一対のピン１３，１３、及び上記開口部１１の前側に配置されたリンク１４を介して約９０°の範囲で上方に手動で回動するようになっている。また、上記蓋体１２はロック機構１５により開口部１１を閉じた状態を保持できるようになっている。このロック機構１５は、蓋体１２の側面１２ａに形成された矩形の孔１２ｂから操作部１６ａを外側に突出させ、蓋体１２の内面側に設けられた一対のガイド１７ａ，１７ｂを介して該内面に沿ってスライドするロック釦１６と、このロック釦１６の先端係止部１６ｂがＶＴＲ本体２の開口部１１の前側に形成された係合部２ｂに常時係止するように付勢するコイルバネ１８とで構成されている。そして、第１０図に示すように、ロック釦１６の操作部１６ａをコイルバネ１８の付勢力に抗して同図中矢印の方向に押すことにより、該ロック釦１６の先端係止部１６ｂがＶＴＲ本体２の係合部２ｂから離れることにより蓋体１２のロック状態が解除されるようになっている。また、ロック釦１６の先端係止部１６ｂは少しテーパ面に成っているので、蓋体１２の上面１２ｃを上から少し強く押すことにより、コイルバネ１８により上記矢印と反対側に付勢されているロック釦１６が少し矢印の方向に移動してロック釦１６の先端係止部１６ｂがＶＴＲ本体２の係合部２ｂに係合後戻ることにより蓋体１２の閉状態をロックするようになっている。
　また、蓋体１２の上面１２ｃには、カメラ・レンズ部６のズームレンズ７を有したレンズ鏡筒部８を前後方向に移動させるズーム操作釦２０を配設してある。このズーム操作釦２０は上面が略ＶＴＲ字形に傾斜した一対の操作面２０ａ，２０ｂになっており、蓋体１２の裏板１９に突出された略Ｍ字型の一対の支持板２１，２１間に架け渡された棒状の軸２２により所謂シーソーのように回動自在になっている。そして、このズーム操作釦２０の一対の操作面２０ａ，２０ｂのいずれか一方を押すことにより、各操作面２０ａ，２０ｂの裏面に形成された突起２０ｃ，２０ｄが上記裏板１９に突設されたプシュ式のズームアップ用及びズームダウン用の一対のスイッチ２３，２４を押して上記各スイッチ２３，２４をオン／オフするようになっている。この場合、上記ズーム操作釦２０の一方の操作面２０ａが押されると、ズームアップ用のスイッチ２３を介して前記カメラ・レンズ部６のレンズ鏡筒部８が前方に出てズームアップされるようになっている。また、他方の操作面２０ｂが押されると、ズームダウン用のスイッチ２４を介して上記カメラ・レンズ部６のレンズ鏡筒部８がへこみズームダウンされるようになっている。
　而して、前記ＶＴＲデッキ部５は、前記グリップ部３内に配されたシャーシ３０の一対のリール台３１，３１に前記テープカセット１０を保持して装着させるカセットホルダー３２と、図示しないテープローディング機構と、上記シャーシ３０に回転自在に支持された回転ヘッドドラム３３等とで大略構成されている。上記カセットホルダー３２にはグリップ部３の側板を兼ねる矩形のカセット蓋３４が取付けられており、このカセット蓋３４に設けられた透明窓３５より上記一方のリール台３１が見えるようになっている。また、これらカセットホルダー３２及びカセット蓋３４は、前記ＶＴＲ本体２の開口部１１の一端寄りに配設され、上記蓋体１２が閉じられたときに外部より見えないカセット取出し釦（イジェクト釦）３６により駆動する図示しない駆動機構を介して、第４図中１点鎖線２点鎖線で示すように上方に移動した後に外側に回動、或は外側に平行移動するように構成されており、テープカセット１０を出し入れし易くなっている。
　さらに、前記グリップ部３の背面３ａの親指が当たる位置には、スタート／ストップのプッシュ式の録画釦４０を配設してある。この録画釦４０は、上記グリップ部３の背面３ａに一体成形された円筒状の凹部４１に回動自在に支持された操作レバー４２によりロック／アンロック自在になっている。詳述すると、上記録画釦４０は樹脂製であり、円柱状に形成された操作部４０ａと、この操作部４０ａから下方に一体に延びた軸部４０ｂと、該操作部４０ａから下方に一体に延びた一対の爪部４０ｃ，４０ｃとを有している。上記凹部４１の底部４１ａの中央には円形の中央孔４１ｂを形成してあると共に、この中央孔４１ｂの回りには大，小各一対の係合孔４１ｃ，４１ｃ，４１ｄ，４１ｄを９０°隔ててそれぞれ形成してある。また、上記操作レバー４２は樹脂製により略環筒状に形成してあり、その胴部４２ａの一部外側には操作部４２ｂを突出一体成形してあると共に、胴部４２ａの下面の下方には、上記録画釦４０の軸部４０ｂを挿入させる円筒状の軸部４２ｃを一体突出成形してある。また、胴部４２ａの底部の軸部４２ｃの回りには上記録画釦４０の一体の爪部４０ｃ，４０ｃが挿入，係止される一対の挿入係止孔４２ｄ，４２ｄを形成してある。そして、この録画釦４０は、圧縮コイルバネ４３を介して上記操作レバー４２の胴部４２ａ内で上方付勢されてその一対の爪部４０ｃ，４０ｃの先端鈎部が上記胴部４２ａの底部下面に係止するまでの間を上下方向に移動自在になっている。また、操作レバー４２の胴部４２ａの底面には一対のピン部４２ｅ，４２ｅを突出形成してある。この一対のピン部４２ｅ，４２ｅには、リング状の板バネ４４の一対の孔４４ａ，４４ａが嵌合するようになっている。これら上記録画釦４０と、操作レバー４２と、圧縮コイルバネ４３と、板バネ４４とでスタート／ストップ型の録画スイッチ機構４５が大略構成されている。
　上記録画釦４０，操作レバー４２，圧縮コイルバネ４３及び板バネ４４は組立てられ、操作レバー４２の軸部４２ｃが上記凹部４１の中央孔４１ｂに挿入されるが、この際に軸部４２ｃの下部に突出一体成形された抜け止め用片４２ｆが、上記凹部４１の下方に取付られた図示しないつまみホルダに係止されることにより抜け止め自在になっている。そして、上記板バネ４４に逆Ｖ字状に形成された一対の係止部４４ｂ，４４ｂが上記凹部４１の一対の小係合孔４１ｄ，４１ｄに係止された状態が録画釦４０のロック状態であり（第１１図中、操作レバー４２に塗布された黒点ａとグリップ部３の背面３ａに塗布された黒点ｂとが一致している時が録画釦４０がロック状態にある）、この状態から第１１図に示すように操作レバー４２を矢印の方向に回転させると、録画釦４０がアンロック状態（操作レバー４２に塗布された黒点ａが背面３ａに塗布された黒点ｃと一致している時が録画釦４０がアンロックの状態）となり、録画釦４０の一対の爪部４０ｃ，４０ｃが凹部４１の一対の大係合孔４１ｃ，４１ｃ内に入って録画釦４０の軸部４０ｂが下方に移動できる状態となる。この状態が録画のスタンバイ状態であり、この状態から録画釦４０を圧縮コイルバネ４３の付勢力に抗して下方に押すと、その軸部４０ｂが図示しないプッシュ式のスタート／ストップタイプの録画スイッチをオン／オフすることにより録画／録画停止されるようになっている。なお、この録画スイッチがワンプッシュで録画開始の指示を出すスタートスイッチとして機能し、ツープッシュで録画停止の指示を出すストップスイッチとして機能するスタート／ストップ型のものである。また、録画撮り不要な場合は第１１図に示す実線の状態に操作レバー４２をしておくと、録画釦４０の一対の爪部４０ｃ，４０ｃが凹部４１の底部４１ａに当たり録画釦４０が下降して上記録画スイッチをオン／オフできないようになっている。さらに、前記グリップ部３の側面の下部に一体形成された一対の係止部３ｂ，３ｃにグリップベルト４６を架け渡してある。また、このグリップベルト４６には、前記カメラ・レンズ部６のレンズ鏡筒部８のズームレンズ７を覆うレンズキャップ４７を取付けてある。
　また、前記電子ビューファインダー９は、ＶＴＲ本体２の左側面４の上部側に形成された段差部４ｂにおいて水平状態から起立状態と約９０°回動するように配設されている。詳述すると、この電子ビューファインダー９は、上下一対のキャビネット５０ａ，５０ｂから成る円筒状のビューファインダー本体５０と、このビューファインダー本体５０内に収納され、その先端部５０ｃ側の前面に形成された矩形の孔５０ｄより管面が露出する画像表示部としてのＣＲＴ（陰極線管）５１と、上記ビューファインダー本体５０の先端部５０ｃに対して進退動自在に配設された接眼鏡筒部６０とで大略構成されている。
　上記ビューファインダー本体５０は、その基部側面に突出形成された軸部５２を上記ＶＴＲ本体２の左側面４に形成された嵌合部４ｃに約９０°の範囲で回動するように所定手段を介して嵌合されている。また、ビューファインダー本体５０の下キャビネット５０ｂの下部には凹部５０ｅを形成してある。この凹部５０ｅに対応する上記ＶＴＲ本体２の段差部４ｂの上面には凸部４ｅが形成してある。そして、電子ビューファインダー９が水平状態の時に上記ビューファインダー本体５０の凹部５０ｅに上位段差部４ｂの凸部４ｅが係合することにより、電子ビューファインダー９が外側に動かないようになっている。また、上記段差部４ｂの上面の中央には、電子ビューファインダー９の水平状態時にビューファインダー本体５０で隠れるエデットスイッチ５３がスライド自在に設けられている。
　前記接眼鏡筒部６０は、第１２図に示すように、ビューファインダー本体５０の先端部５０ｃの外周面に摺動自在に設けられ、大径部６１ａに等間隔毎に４箇所形成されたＬ字型のリード孔６１ｂに上記先端部５０ｃの外周面に突出した４本のピン部５４を挿入させた円筒状のファインダーホルダー６１と、このファインダーホルダー６１の大径部６１ａに形成された一対の鍔部６１ｃの係止部６１ｄに係止される一対の孔部６２ａ，６２ａを有し、上記ファインダーホルダー６１を覆う円筒状のファインダーカバー６２と、上記ファインダーホルダー６１の小径部６１ｅ内に回転自在に嵌合され、内部にレンズ６３を嵌合したレンズホルダー６４と、上記ファインダーホルダー６１の小径部６１ｅの外周面に回転自在に嵌合され、該小径部６１ｅに形成された一対のＴ字状の切欠部６１ｆよりレンズホルダー６４の外周面に斜めに一対形成されたリード溝６４ａ，６４ａに係止される一対のピン部６５ａ，６５ａを内周面に突出させた視度調整リング（視度調整手段）６５と、上記ファインダーホルダー６１の小径部６１ｅの外周面の先端に突出した一対の係止部６１ｇ，６１ｇに係止される一対の係合孔６６ａ，６６ａを有したアイキャップホルダー６６と、このアイキャップホルダー６６に嵌合されるゴム製のアイキャップ６７とで構成されている。
　上記ファインダーホルダー６１は、ビューファインダー本体５０に対して退動（縮む）し終わった状態を各リード孔６１ｂに形成された第１の突起部６１′がビューファインダー本体５０の各ピン５４を係止することにより維持できるようになっていると共に、ビューファインダー本体５０に対して進動（伸びる）し終わった状態を各リード孔６１に形成された第２の突起部６１ｂ″がビューファインダー本体５０の各ピン５４を係止することにより維持できるようになっている　また、上記レンズホルダー６４の外周面には軸方向に延びる一対のスラスト溝６４ｂ，６４ｂを形成してあり、この各スラスト溝６４ａが前記ファインダーホルダー６１の小径部６１ｅの内周面にスラスト方向に延びるように突出された一対のスラスト突起６１ｈ，６１ｈに係合されている。これにより、視度調節リング６５を時計方向，反時計方向に回動させると、レンズホルダー６４がファインダーホルダー６１に対して前後方向に移動することにより、レンス６３のＣＲＴ５１に対する焦点が合うようになっている。
　また、前記ＶＴＲ本体２の前面上部にはマイクロフォン７０を取付けてあると共に、グリップ部３の前部には映像入出力端子７１及び音声入出力端子７２を取付けてある。また、ＶＴＲ本体２の上面２ａの中央にはＶＴＲ系各種操作釦類７３を取付けてあると共に、左側面４の略中央部４ａにはカメラ・レンズ系各種操作釦類７４を取付けてある。さらに、ＶＴＲ本体２の背面にはバッテリー７５を取付けてある。なお、第３図中符号７６はバッテリーロック解除釦であり、第６図中符号７７はＶＴＲ本体２の底面２ｃの中央に設けられた三脚取付用ネジ穴である。
　以上実施例のカメラ一体型ＶＴＲ１によれば、ＶＴＲ本体２のグリップ部３側にＶＴＲデッキ部５を配設する一方、上記ＶＴＲ本体２のグリップ部３の反対側の前部にカメラ・レンズ部６を配設すると共にその上部から後部にビューファインダー９を配設したので、上記ＶＴＲデッキ部５，カメラ・レンズ部６，ビューファインダー９をよりコンパクトにまとめることができると共に、従来のものに比較して全長を大幅に短くすることができる。従って、カメラ一体型ＶＴＲ１全体の小型化を大幅に図ることができる。
　特に、上記ビューファインダー９の接眼鏡筒部６０をビューファインダー本体５０に対して進退動自在に設け、不使用時等には、第２図に示すようにアイキャップ６７をＶＴＲ本体２のバッテリー７５側の近くまで縮めることができ、セット全体の寸法を従来のものより一層小さくすることができ、容易に持ち運びすることができる。
　また、ローアングル撮影時には、ビューファインダー９を垂直状態に起立させ、アイキャップ９より目を遠ざけても、接眼鏡筒部６０をビューファインダー本体５０に対して少し進退動させるだけで、ＣＲＴ５１の視度調整を容易に行うことができ、画角合わせを簡単に行うことができる。
　また、ＶＴＲ本体２のグリップ部３の反対の面である左側面４に、各種操作釦などを配置するに十分なスペースを取ることができるので、各種操作釦類の配置，大きさの自由度を高くすることができる。
また、グリップ部３の上面にズーム操作釦２０を設けたので、操作性をより向上させることができ、使い勝手を非常に良くすることができる。
さらに、第５図に示すように、録画時に録画釦４０のロックを解除する操作レバー４２の操作部４２ｂがスタンバイ位置に来たときに、使用者の親指の位置に来るので、この操作部４２ｂを指休めとして使用でき、使い勝手が良い。
［発明の効果］
　本発明は、上述のような構成にしたので、
接眼鏡筒部を進退動自在にすることが出来る為、退動時の短くなった寸法分だけ記録装置も小さく出来る。よって退動時に装置本体の背面に装着されたバッテリーに対して接眼鏡筒部が略面一になるような位置にビューファインダー本体を取りつけている。記録装置を持ち歩く時は、ほとんどバッテリーを装着しているため、この寸法程度にセッティングするのが合理的であるという実用上、優れた効果がある。
【図面の簡単な説明】
第１図はこの発明の一実施例を示すカメラ一体型ＶＴＲの平面図、第２図は同右側　面図、第３図は左側面図、第４図は同正面図、第５図は同背面図、第６図は同底面図、第７図は蓋体の正面図、第８図は蓋体の要部を一部断面で示す側面図、第９図は蓋体を正面図、第１０図は蓋体のロック機構の断面図、第１１図は録画スイッチ構造の分解斜視図、第１２図はビューファインダーの要部分解斜視図、第１３図は接眼鏡筒部を一部断面図で示す側面図、第１４図はグリップベルト及びホルダー及びレンズキャップの取付状態を示す説明図、第１５図は従来のカメラ一体型ＶＴＲの斜視図、第１６図は同背面図である。
１……カメラ一体型ＶＴＲ、２……ＶＴＲ本体、９……ビューファインダー、５１……ＣＲＴ（画像表示部）、５０……ビューファインダー本体、６０……接眼鏡筒部。